(57)【特許請求の範囲】
【請求項１】
ムーブメントの基板を構成する地板と、日付を表示するために地板に対して回転可能に設けられかつ日車歯部を有する日車と、曜日を表示するために地板に対して回転可能に設けられかつ曜星車を有する曜車と、１日に１回転して、１日につき１日分だけ日車を回転させることができかつ１日につき１日分だけ曜車を回転させることができる日回し車とを備えたカレンダ機構付き時計において、
日回し車（２１２）は、１日につき１日分だけ日車（２２０）を回転させることができる日送り爪（２１４）と、１日につき１日分だけ曜車（２３０）を回転させることができる曜送り爪（２１６）とを備え、
日送り爪（２１４）は、日送り爪ばね部（２１４ｂ）を介して日回し車（２１２）に一体になるように構成され、
曜送り爪（２１６）は、曜送り爪ばね部（２１６ｂ）を介して日回し車（２１２）に一体になるように構成され、
日送り爪（２１４）は、曜車（２３０）の曜星車（２３２）の地板（１０２）側を通って回転するように構成され、
日送り爪（２１４）が日車歯部（２２２）と噛み合うときに日送り爪（２１４）と日車歯部（２２２）との厚さ方向の噛み合いを確保するための日送り爪案内部（１０２ｃ）を有することを特徴とするカレンダ機構付き時計。
【請求項２】
日回し車（２１２）が回転して、日送り爪（２１４）が日送り爪案内部（１０２ｃ）と最初に接触する部分には、斜面（１０２ｄ）が設けられていることを特徴とする請求項１に記載のカレンダ機構付き時計。
【請求項３】
日送り爪（２１４）が日送り爪案内部（１０２ｃ）と接触する部分には、半球状の凸部（２１４ｃ）が設けられていることを特徴とする請求項１又は請求項２に記載のカレンダ機構付き時計。
【請求項４】
曜送り爪（２１６）は、日車歯部（２２２）の文字板（１０４）側を通って回転するように構成され、
曜送り爪（２１６）が日車歯部（２２２）の文字板（１０４）側を通って回転するときに、曜送り爪（２１６）と日車歯部（２２２）との厚さ方向のすきまを確保するために、曜送り爪（２１６）は日送り爪案内部（１０２ｃ）に接触して回転するように構成されていることを特徴とする請求項１から請求項３のいずれか１項に記載のカレンダ機構付き時計。
【請求項５】
日送り爪案内部（１０２ｃ）を設ける代わりに、日送り爪（２１４）が、送ろうとしている送り作動歯部（２２２ｂ）と噛み合うときに、日送り爪（２１４）と送り作動歯部（２２２ｂ）との間の厚さ方向の噛み合い量を確保するための日送り爪案内溝部（１０２ｍ）と、日送り爪（２１４）と送り作動歯部（２２２ｂ）との間の噛み合い量の減少を防ぐための内側案内部（１０２ｋ）と、日送り爪（２１４）と送り作動歯部（２２２ｂ）との間の噛み合い量の増加を防ぐための外側案内部（１０２ｊ）とが設けられていることを特徴とする請求項１から請求項４のいずれか１項に記載のカレンダ機構付き時計。
【請求項６】
日送り爪（２１４）が、次に送るようになっている送り待ち歯部（２２２ａ）に近い個所を回転するときに、日送り爪（２１４）と送り待ち歯部（２２２ａ）との間の平面方向の隙間を確保するための日送り前隙間確保部（１０２ｐ）が設けられていることを特徴とする請求項５に記載のカレンダ機構付き時計。
【請求項７】
日送り爪（２１４）が、送り終わった送り終り歯部（２２２ｃ）に近い個所を回転するときに、日送り爪（２１４）と送り終り歯部（２２２ｃ）との間の平面方向の隙間を確保するための日送り後隙間確保部（１０２ｎ）が設けられていることを特徴とする請求項５又は請求項６に記載のカレンダ機構付き時計。
【請求項８】
カレンダ機構付き時計はアナログ電子時計として構成されており、カレンダ機構付き時計は、源振を構成する水晶振動子（１２２）と、表輪列を回転させるためのステップモータとを備え、ステップモータは、コイルブロック（１３０）と、ステータ（１３２）と、ロータ（１３４）とを含むように構成されており、水晶振動子（１２２）の一部分とコイルブロック（１３０）の一部分とが日車（２２０）と重なるように配置されることを特徴とする請求項１から請求項７のいずれか１項に記載のカレンダ機構付き時計。
【発明の詳細な説明】
【０００１】
【発明の属する技術分野】
本発明は、カレンダ機構付き時計に関するもので、特に、曜車が誤作動するおそれがない、小型で薄型のカレンダ機構付き時計に関する。
【０００２】
【従来の技術】
図１９および図２０を参照すると、従来のカレンダ機構付き時計、例えば、アナログ電子時計のムーブメント（機械体）４００は、ムーブメント４００の基板を構成する地板４０２を有する。文字板４０４（図２０に仮想線で示す）がムーブメント４００に取付けられる。
アナログ電子時計においては、地板４０２の両側のうちで、文字板４０４のある方の側をムーブメント４００の「裏側」と称し、文字板４０４のある方の側と反対側をムーブメント４００の「表側」と称する。ムーブメント４００の「表側」に組み込まれる輪列を「表輪列」と称し、ムーブメント４００の「裏側」に組み込まれる輪列を「裏輪列」と称する。
ムーブメント４００の「表側」には、電池、回路ブロック、ステップモータ、表輪列、切換装置（いずれも図示せず）などが配置される。ステップモータの回転により表輪列が回転する。
【０００３】
中心パイプ４０２ａが地板４０２に設けられる。筒車４１０が、中心パイプ４０２ａに対して回転可能に設けられ、表輪列の回転により１日に２回転する。日回し車４１２が、筒車４１０の回転により１日に１回転するように設けられる。
日車４２０が、日付を表示するために地板に対して回転可能に設けられる。日車４２０は、３１枚の歯部分を有する日車歯部４２２と、日を表示するための文字を印刷した日板４２４とを有する。曜車４３０が、曜日を表示するために地板に対して回転可能に設けられる。曜車４３０は、７枚又は１４枚又は２１枚の歯部分を有する曜星車４３２と、曜日を表示するための文字を印刷した曜板４３４とを有する。
【０００４】
日回し車４１２は、１日につき１日分だけ日車４２０を回転させることができる日送り爪４１４と、１日につき１日分だけ曜車４３０を回転させることができる曜送り爪４１６とを備える。
日送り爪４１４は、日送り爪ばね部４１４ｂを介して日回し車４１２に一体になるように構成される。曜送り爪４１６は、曜送り爪ばね部４１６ｂを介して日回し車４１２に一体になるように構成される。
日送り爪４１４は、曜星車４３２の回転軌跡に入らないように回転するように構成される。
【０００５】
【発明が解決しようとする課題】
しかし、従来のカレンダ機構付き時計では、日送り爪が曜星車の回転軌跡に入らないようにしないと、日送り爪が曜星車と噛み合うようになり、曜車が誤作動するおそれがあった。
更に、曜車が誤作動を回避しつつカレンダ機構付き時計の平面サイズを小さくするためには、日送り爪と曜星車との間の厚さ方向の隙間を十分大きく確保しなければならず、それによって、カレンダ機構付き時計の厚さを厚くしなければならなかった。
【０００６】
【発明の目的】
そこで、本発明の目的は、従来のこのような課題を解決するため、曜車が誤作動するおそれがない、小型で薄型のカレンダ機構付き時計を実現することにある。
また、本発明の他の目的は、日送り爪が確実に日車を回転させることができるような日送り機構を備えたカレンダ機構付き時計を実現することにある。
【０００７】
【課題を解決するための手段】
上記課題を解決するために、本発明は、ムーブメントの基板を構成する地板と、日付を表示するために地板に対して回転可能に設けられかつ日車歯部を有する日車と、曜日を表示するために地板に対して回転可能に設けられかつ曜星車を有する曜車と、１日に１回転して、１日につき１日分だけ日車を回転させることができかつ１日につき１日分だけ曜車を回転させることができる日回し車とを備えたカレンダ機構付き時計において、日回し車は、１日につき１日分だけ日車を回転させることができる日送り爪と、１日につき１日分だけ曜車を回転させることができる曜送り爪とを備え、日送り爪は、日送り爪ばね部を介して日回し車に一体になるように構成され、曜送り爪は、曜送り爪ばね部を介して日回し車に一体になるように構成され、日送り爪は、曜車の曜星車の地板側を通って回転するように構成され、日送り爪が日車歯部と噛み合うときに日送り爪と日車歯部との厚さ方向の噛み合い量を確保するための日送り爪案内部を有することを特徴とする。
【０００８】
また、本発明のカレンダ機構付き時計では、日送り爪案内部は、地板の裏側に設けられるのが好ましい。
また、本発明のカレンダ機構付き時計では、日回し車が回転して、日送り爪が日送り爪案内部と最初に接触する部分には、斜面が設けられるのが好ましい。
また、本発明のカレンダ機構付き時計では、日送り爪が日送り爪案内部と接触する部分には、半球状の凸部が設けられるのが好ましい。
また、本発明のカレンダ機構付き時計では、曜送り爪は、日車歯部の文字板側を通って回転するように構成され、曜送り爪が日車歯部の文字板側を通って回転するときに、曜送り爪と日車歯部との厚さ方向のすきまを確保するために、曜送り爪は日送り爪案内部に接触して回転するように構成されるのが好ましい。
このように構成することにより、カレンダ機構付き時計において、曜車が誤作動するおそれはなく、日送り爪が確実に日車を回転させることができる。更に、このように構成することにより、小型で薄型のカレンダ機構付き時計を実現することができる。
【０００９】
また、本発明のカレンダ機構付き時計では、日送り爪案内部の代わりに、日送り爪が、送ろうとしている送り作動歯部と噛み合うときに、日送り爪と送り作動歯部との間の厚さ方向の噛み合い量を確保するための日送り爪案内溝部と、日送り爪と送り作動歯部との間の噛み合い量の減少を防ぐための内側案内部と、日送り爪と送り作動歯部との間の噛み合い量の増加を防ぐための外側案内部とが設けられるように構成されるのが好ましい。
内側案内部を設けることにより、日送り爪と送り作動歯部との間の噛み合い量が必要な量以下に減少するのを効果的に防ぐことができる。また、外側案内部を設けることにより、日送り爪と送り作動歯部との間の噛み合い量が必要な量以上に増加するのを効果的に防ぐことができる。したがって、このように構成することにより、日送り爪が確実に日車を回転させることができる。
【００１０】
また、本発明のカレンダ機構付き時計では、日送り爪が、次に送るようになっている送り待ち歯部に近い個所を回転するときに、日送り爪と送り待ち歯部との間の平面方向の隙間を確保するための日送り前隙間確保部が設けられるのが好ましい。
このように構成することにより、日送り前に日送り爪が日車を誤作動させるおそれをなくすことができる。
【００１１】
更にまた、本発明のカレンダ機構付き時計では、日送り爪が、送り終わった送り終り歯部に近い個所を回転するときに、日送り爪と送り終り歯部との間の平面方向の隙間を確保するための日送り爪隙間確保部が設けられるのが好ましい。
このように構成することにより、日送り後に日送り爪が日車を誤作動させるおそれをなくすことができる。
【００１２】
また、本発明においては、カレンダ機構付き時計はアナログ電子時計として構成され、カレンダ機構付き時計は、源振を構成する水晶振動子と、表輪列を回転させるためのステップモータとを備え、ステップモータは、コイルブロックと、ステータと、ロータとを含むように構成されており、水晶振動子の一部分とコイルブロックの一部分とが日車と重なるように配置されるのが好ましい。
このように構成することにより、カレンダ機構付き時計において、水晶振動子の一部分とコイルブロックの一部分と日車をコンパクトに配置することができるので、小型で薄型のカレンダ機構付き時計を実現することができる。
【００１３】
【発明の実施の形態】
以下に、本発明のカレンダ機構付き時計の実施の形態を図面に基づいて説明する。
以下の説明は、本発明のカレンダ機構付き時計をアナログ電子時計に適用した構成について説明しているけれども、本発明は、アナログ電子時計だけでなく、機械式時計にも適用することができる。すなわち、本明細書における「カレンダ機構付き時計」という概念は、「アナログ電子時計」も、「機械式時計」も、他のすべての作動原理のアナログ時計も含む概念である。
図１から図４を参照すると、本発明のカレンダ機構付き時計のムーブメント（機械体）１００は、ムーブメント１００の基板を構成する地板１０２を有する。文字板１０４（図１に仮想線で示す）がムーブメント１００に取付けられる。
【００１４】
ムーブメント１００の「表側」には、電池１２０、回路ブロック１１６、ステップモータ、表輪列、切換装置（図示せず）などが配置される。ステップモータの回転により表輪列が回転する。ＩＣ１１８と水晶振動子１２２とが、回路ブロック１１６に取り付けられる。電池１２０はカレンダ機構付き時計の動力源を構成する。水晶振動子１２２は、カレンダ機構付き時計の源振を構成し、例えば、３２，７６８ヘルツで発振する。
表輪列は地板１０２と輪列受１１２により、回転可能に支持される。回路押え板１１４が、回路ブロック１１６を輪列受１１２に対して保持するように設けられる。電池マイナス端子１２６が、輪列受１１２に対して保持される。絶縁板１２８が、電池マイナス端子１２６と押え板１１４との間に配置される。
ＩＣ１１８は発振部と、分周部と、駆動部とを含む。水晶振動子１２２の振動に基づいて発振部は基準信号を出力する。分周部は発振部の出力信号を分周する。駆動部は分周部の出力信号に基づいて、ステップモータを駆動するモータ駆動信号を出力する。
【００１５】
ステップモータは、コイルブロック１３０と、ステータ１３２と、ロータ１３４とを含む。コイルブロック１３０がモータ駆動信号を入力すると、ステータ１３２が磁化して、ロータ１３４を回転させる。ロータ１３４は、例えば、１秒ごとに１８０度回転するように構成される。
ロータ１３４の回転に基づいて、五番車１４０の回転を介して四番車１４２が回転するように構成される。四番車１４２は１分間に１回転するように構成される。秒針１４４が四番車１４２に取付けられる。四番車１４２を、時計の中心に配置してもよいし、時計の中心とは異なる位置に配置してもよい。
規正レバー１７０が、巻真１１０を２段目に引き出したときに回転作動し、四番車１４２の位置を規正するために設けられる。
【００１６】
三番車１５０が四番車１４２の回転に基づいて回転するように構成される。二番車１５２が三番車１５０の回転に基づいて回転するように構成される。二番車１５２の代わりに分車を用いてもよい。分針１６４が二番車１５２に取付けられている。スリップ機構が二番車１５２に設けられている。スリップ機構により、針合わせをするときに、秒針１４４を停止させた状態で、巻真１１０を回転させることにより、分針１５４及び時針１５６を回転させることができる。二番車１５２は１時間に１回転するように構成される。
日の裏車１７４が二番車１５２の回転に基づいて回転するように構成される。巻真１１０を２段目に引き出したときに、つづみ車（図示せず）の回転を介して回転する小鉄車１７２が設けられる。巻真１１０を２段目に引き出したときに、日の裏車１７４およびつづみ車（図示せず）の回転を介して回転するように構成される。
【００１７】
中心パイプ１０２ａが地板１０２に設けられる。筒車１６０が、中心パイプ１０２ａに対して回転可能に設けられる。筒車１６０は日の裏車１７４の回転に基づいて回転するように構成される。筒車１６０は１２時間に１回転するように構成される。時針１６６が筒車１６０に取付けられる。
筒車１６０の日回しかな（図示せず）が回転することにより、日回し車２１２が回転するように構成される。日回し車２１２は、筒車１６０の回転により１日に１回転するように設けられる。
日車２２０が、日付を表示するために地板１０２に対して回転可能に設けられる。日車２２０は、３１枚の歯部分を有する日車歯部２２２と、日を表示するための文字を印刷した日板２２４とを有する。日車押え２２８が、日車２２０を地板１０２に対して回転可能に保持する。
【００１８】
曜車２３０が、曜日を表示するために地板１０２に対して回転可能に設けられる。曜車２３０は、１４枚の歯部分を有する曜星車２３２と、曜日を表示するための文字を印刷した曜板２３４とを有する。
日車２２０の回転は、日ジャンパ２４０により規正されている。曜車２３０の回転は、曜ジャンパ２４２により規正されている。曜ジャンパ２４２は日車押え２２８に一体形成されている。
第１カレンダ修正車２８０が、巻真１１０を１段目に引き出したときに、つづみ車（図示せず）の回転を介して回転するように設けられる。第２カレンダ修正車２８２が、巻真１１０を１段目に引き出したときに、つづみ車および第１カレンダ修正車２８０の回転を介して回転するように設けられる。カレンダ修正車２８４が、巻真１１０を１段目に引き出したときに、つづみ車および第１カレンダ修正車２８０および第２カレンダ修正車２８２の回転を介して回転するように設けられる。カレンダ修正車２８４は、第２カレンダ修正車２８２の回転中心を中心として、一定の角度だけ揺動可能なように構成される。曜修正伝え車２８６が、その回転により曜星車２３２を回転させることができるように配置される。
【００１９】
巻真１１０を１段目に引き出したときに、巻真１１０を第１の方向に回転させると、カレンダ修正車２８４は第１の方向に揺動し、一定の位置で回転して、日車２２０を回転させることができるように構成される。巻真１１０を１段目に引き出したときに、巻真１１０を第２の方向（前記第１の方向と反対の方向）に回転させると、カレンダ修正車２８４は第２の方向（前記第１の方向と反対の方向）に揺動し、一定の位置で回転して、曜修正伝え車２８６を回転させることができるように構成される。曜修正伝え車２８６を回転させることにより、曜星車２３２を回転させることができるように構成される。
【００２０】
図４を参照すると、ムーブメント１００の「表側」に配置された水晶振動子１２２の一部分とコイルブロック１３０の一部分とが、ムーブメント１００の「裏側」に配置された日車２２０と重なるように配置される。
図５および図６を参照すると、日車歯部２２２は、今送ろうとしている送り作動歯部２２２ｂと、次に送るようになっている送り待ち歯部２２２ａと、既に送り終わっている送り終り歯部２２２ｃとを含む。日回し車２１２は、１日につき１日分だけ日車２２０を回転させることができる日送り爪２１４と、１日につき１日分だけ曜車２３０を回転させることができる曜送り爪２１６とを備える。
日送り爪２１４は、日送り爪ばね部２１４ｂを介して日回し車２１２に一体になるように構成される。曜送り爪２１６は、曜送り爪ばね部２１６ｂを介して日回し車２１２に一体になるように構成される。
日送り爪２１４と日送り爪ばね部２１４ｂとの交点部の裏側（地板側）には、半球状の日送り爪凸部２１４ｃが設けられる。
【００２１】
図１３および図１４を参照すると、日送り爪２１４が送り作動歯部２２２ｂと噛み合うときに日送り爪２１４と送り作動歯部２２２ｂとの厚さ方向の噛み合い量を確保するための日送り爪案内部１０２ｃが地板１０２の裏側（文字板側）に設けられる。日回し車２１２が回転して、日送り爪凸部２１４ｃが日送り爪案内部１０２ｃと最初に接触する部分には、斜面１０２ｄが設けられる。日送り爪凸部２１４ｃが日送り爪案内部１０２ｃから離れる部分に、斜面１０２ｆが設けられる。日送り爪案内部１０２ｃがない部分には、日送り爪逃げ溝部１０２ｇが地板１０２の裏側（文字板側）に設けられている。日送り爪凸部２１４ｃは、日送り爪逃げ溝部１０２ｇに面して、日送り爪逃げ溝部１０２ｇに接触することなしに回転できるように構成される。
曜星車２３２の歯数が１４枚である場合には、曜送りつめ２１６が曜星車２３２を１日に２歯だけ送るように構成する。曜送りつめ２１６の先端に設けられた２つの第１曜送り部分２１６ａおよび第２曜送り部分２１６ｂが、それぞれ、曜星車２３２の歯部分を１歯ずつ送るように構成される。
曜送り爪２１６と第１曜送り部分２１６ａとの交点部の裏側（地板側）には、半球状の第１曜送り爪凸部２１６ｃが設けられる。曜送り爪２１６と第２曜送り部分２１６ｂとの交点部の裏側（地板側）には、半球状の第２曜送り爪凸部２１６ｄが設けられる。
【００２２】
図５および図６に示す本発明の実施の形態では、曜星車２３２の歯部分の歯数を１４枚として説明したが、曜星車２３２の歯数は７枚であってもよいし、２１枚であってもよい。曜星車２３２の歯数が７枚である場合には、曜送りつめ２１６が曜星車２３２を１日に１歯だけ送るように構成する。曜星車２３２の歯数が２１枚である場合には、曜送りつめ２１６が曜星車２３２を１日に３歯だけ送るように構成する。
また、図５および図６に示す本発明の実施の形態では、曜送りつめ２１６の先端に設けられた２つの第１曜送り部分２１６ａおよび第２曜送り部分２１６ｂが、それぞれ、曜星車２３２の歯部分を１歯ずつ送る構成について説明したけれども、曜送りつめ２１６の先端に設けた１つの曜送り部分が曜星車２３２の歯部分を２歯送るように構成してもよい。
【００２３】
図５および図６を参照すると、本発明のカレンダ機構付き時計の実施の形態において、日送り状態においては、最初に、日送り爪２１４の日送り爪凸部２１４ｃは斜面１０２ｄに接触する。斜面１０２ｄを設けることにより、日送り爪２１４は、滑らかに作動して日送り爪案内部１０２ｃの上を作動することができる。次に、日送り爪２１４の日送り爪凸部２１４ｃは、地板１０２の日送り爪案内部１０２ｃ上を作動する。日送り爪凸部２１４ｃが日送り爪案内部１０２ｃ上を作動することにより、日送り爪２１４が日車２２０の送り作動歯部２２２ｂと噛み合うときに日送り爪２１４と日車歯部との間の厚さ方向の噛み合いを確保することができる。
そして、日送り爪２１４の日送り爪凸部２１４ｃは、斜面１０２ｆに接触して作動し、日送り爪案内部１０２ｃから離れる。この構成により、日送り爪２１４を滑らかに回転させながら、確実に日車２２０を送ることができる。
【００２４】
図７および図８を参照すると、本発明のカレンダ機構付き時計の実施の形態において、曜送り状態においては、曜送りつめ２１６の先端に設けられた第１曜送り部分２１６ａおよび第２曜送り部分２１６ｂが、それぞれ、曜星車２３２の歯部分を１歯ずつ送る。曜送り状態においては、第１曜送り爪凸部２１６ｃおよび第２曜送り爪凸部２１６ｄは日送り爪逃げ溝部１０２ｇに面して、日送り爪逃げ溝部１０２ｇに接触することなしに回転する。したがって、この構成により、第１曜送り部分２１６ａは地板１０２に接触することなしに作動し、第２曜送り部分２１６ｂも地板１０２に接触することなしに作動する。
【００２５】
図９および図１０を参照すると、本発明のカレンダ機構付き時計の実施の形態において、日送り爪２１４が曜星車２３２の下に位置する状態においては、日送り爪２１４は曜星車２３２と地板１０２との間を回転する。すなわち、日送り爪２１４は、曜車２３０の曜星車２３２の地板１０２のある側を通って回転する。この状態においては、日送り爪凸部２１４ｃは、日送り爪逃げ溝部１０２ｇに面して、日送り爪逃げ溝部１０２ｇに接触することなしに回転する。したがって、この構成により、日送り爪２１４の日送り爪凸部２１４ｃは、地板１０２に接触することなしに作動する。
【００２６】
図１１および図１２を参照すると、曜送り爪２１６が日車２２０の送り作動歯部２２２ｂに接近した状態では、曜送り爪２１６の第１曜送り爪凸部２１６ｃおよび第２曜送り爪凸部２１６ｄは、地板１０２の日送り爪案内部１０２ｃの上に乗って作動する。すなわち、第１曜送り爪凸部２１６ｃおよび第２曜送り爪凸部２１６ｄは、最初に、斜面１０２ｄに接触する。次に、第１曜送り爪凸部２１６ｃおよび第２曜送り爪凸部２１６ｄは、地板１０２の日送り爪案内部１０２ｃ上を作動する。そして、第１曜送り爪凸部２１６ｃおよび第２曜送り爪凸部２１６ｄは、斜面１０２ｆに接触して作動し、日送り爪案内部１０２ｃから離れる。すなわち、第１曜送り部分２１６ａの先端部および第２曜送り部分２１６ｂの先端部は、日車２２０と曜板３１４との間を回転する。この構成により、曜送り爪２１６を滑らかに回転させながら、曜送り爪２１６が日車２２０に接触するのを回避することができる。
【００２７】
次に、本発明のカレンダ機構付き時計の他の実施の形態について説明する。
図１５および図１６を参照すると、本発明のカレンダ機構付き時計の他の実施の形態において、日送り爪２１４が送り作動歯部２２２ｂと噛み合うときに日送り爪２１４と送り作動歯部２２２ｂとの間の厚さ方向の噛み合い量を確保するための日送り爪案内溝部１０２ｍが地板１０２の裏側（文字板側）に設けられている。
日送り爪２１４が送り作動歯部２２２ｂと噛み合うときに、日送り爪２１４と送り作動歯部２２２ｂとの間の噛み合い量の減少を防ぐための内側案内部１０２ｋが地板１０２の裏側（文字板側）に設けられている。日送り爪２１４が送り作動歯部２２２ｂと噛み合うときに、日送り爪２１４と送り作動歯部２２２ｂとの間の噛み合い量の増加を防ぐための外側案内部１０２ｊが地板１０２の裏側（文字板側）に設けられている。したがって、日送り爪案内溝部１０２ｍは、外側案内部１０２ｊと内側案内部１０２ｋとの間に位置する。日送り爪凸部２１４ｃは、外側案内部１０２ｊと内側案内部１０２ｋとの間で、日送り爪案内溝部１０２ｍの中を作動する。
【００２８】
内側案内部１０２ｋを設けることにより、日送り爪２１４と送り作動歯部２２２ｂとの間の噛み合い量が必要な量以下に減少するのを効果的に防ぐことができる。すなわち、内側案内部１０２ｋは、日送り中に日送り爪２１４が送り作動歯部２２２ｂから外れるのを効果的に阻止することができる。
また、外側案内部１０２ｊを設けることにより、日送り爪２１４と送り作動歯部２２２ｂとの間の噛み合い量が必要な量以上に増加するのを効果的に防ぐことができる。すなわち、外側案内部１０２ｊは、日送り中に日送り爪２１４が送り作動歯部２２２ｂに食い込むのを効果的に阻止することができる。
したがって、このように構成することにより、日送り爪２１４が確実に日車２２０を回転させることができる。
【００２９】
更に、日回し車２１２が回転して、日送り爪凸部２１４ｃが日送り爪案内溝部１０２ｍと最初に接触する部分に斜面を設けるのがよい。また、日送り爪凸部２１４ｃが日送り爪案内溝部１０２ｍから離れる部分にも、斜面を設けるのがよい。また、日送り爪案内溝部１０２ｍがない部分には、日送り爪逃げ溝部１０２ｇが地板１０２の裏側（文字板側）に設けられている。すなわち、日送り爪凸部２１４ｃは、日送り爪案内溝部１０２ｍの中を回転できるように構成されている。
【００３０】
加えて、日送り爪２１４が送り待ち歯部２２２ａに近い箇所を回転するときに日送り爪２１４と送り待ち歯部２２２ａとの間の平面方向の隙間を確保するための日送り前隙間確保部１０２ｐが地板１０２の裏側（文字板側）に設けられている。日送り前隙間確保部１０２ｐは、日送り爪２１４を送り待ち歯部２２２ａから遠ざけるように、外側案内部１０２ｊから内側に向かって凸形状でありかつ全体が滑らかな形状になるように形成される。この構成により、日送り爪２１４が送り待ち歯部２２２ａに接触するおそれがなくなる。
【００３１】
更に加えて、日送り爪２１４が送り終り歯部２２２ｃに近い箇所を回転するときに日送り爪２１４と送り終り歯部２２２ｃとの間の平面方向の隙間を確保するための日送り後隙間確保部１０２ｎが地板１０２の裏側（文字板側）に設けられている。日送り後隙間確保部１０２ｎは、日送り爪２１４を送り終り歯部２２２ｃから遠ざけるように、外側案内部１０２ｊから内側に向かって凸形状でありかつ全体が滑らかな形状になるように形成される。この構成により、日送り爪２１４が送り終り歯部２２２ｃに接触するおそれがなくなる。
【００３２】
日送り状態においては、最初に、日送り爪２１４の日送り爪凸部２１４ｃは斜面に接触する。次に、日送り爪２１４の日送り爪凸部２１４ｃは、地板１０２の日送り爪案内溝部１０２ｍの中を回転する。日送り爪凸部２１４ｃが日送り爪案内溝部１０２ｍの中を作動することにより、日送り爪２１４が日車２２０の送り作動歯部２２２ｂと噛み合うときに、日送り爪２１４と送り作動歯部２２２ｂとの間の厚さ方向の噛み合い量を確保することができ、同時に、日送り爪２１４と日車歯部との間の平面方向の噛み合い量を一定の範囲内に保つことができる。
次に、日送り爪２１４の日送り爪凸部２１４ｃは、地板１０２の日送り爪隙間確保部１０２ｎに接触して回転する。そして、日送り爪２１４の日送り爪凸部２１４ｃは、斜面に接触して作動し、日送り爪案内溝部１０２ｍから離れる。
【００３３】
次に、本発明のカレンダ機構付き時計の更に他の実施の形態について説明する。
図１７および図１８を参照すると、本発明のカレンダ機構付き時計の更に他の実施の形態において、曜送り爪２１６と第１曜送り部分２１６ａとの交点部の裏側（地板側）には、半球状の第１曜送り爪凸部２１６ｃがない。
この実施の形態では、日車２２０の日車歯部２２２と曜板２３４との間の隙間を十分大きくとることにより、第１曜送り部分２１６ａの先端部および第２曜送り部分２１６ｂの先端部が、日車２２０と曜板２３４との間を回転することができるように構成する。
以上説明した実施の形態では、秒針を有する時計について説明したが、本発明の構造は、秒針をもたない時計にも適用することができる。
【００３４】
【発明の効果】
本発明は、以上説明したように構成することにより、曜車が誤作動するおそれはなく、日送り爪が確実に日車を回転させることができるカレンダ機構付き時計を実現することができる。
更に、本発明により、小型で薄型のカレンダ機構付き時計を実現することができる。
【図面の簡単な説明】
【図１】本発明のカレンダ機構付き時計の実施の形態を示す部分断面図である。
【図２】本発明のカレンダ機構付き時計の実施の形態において、カレンダ機構がある側から見た概略平面図である（日車押え、曜板を外した状態で示している）。
【図３】本発明のカレンダ機構付き時計の実施の形態において、表輪列がある側（カレンダ機構がある側と反対側）から見た概略平面図である（輪列受、絶縁板、押え板を外した状態で示している）。
【図４】本発明のカレンダ機構付き時計の実施の形態において、水晶ユニット、日回し車、コイルブロックを示す部分断面図である。
【図５】本発明のカレンダ機構付き時計の実施の形態において、日送り状態における日車、日回し車、曜星車を示す拡大部分平面図である。
【図６】本発明のカレンダ機構付き時計の実施の形態において、図５の日送り状態を示す拡大部分断面図である。
【図７】本発明のカレンダ機構付き時計の実施の形態において、曜送り状態における日車、日回し車、曜星車を示す拡大部分平面図である。
【図８】本発明のカレンダ機構付き時計の実施の形態において、図７の曜送り状態を示す拡大部分断面図である。
【図９】本発明のカレンダ機構付き時計の実施の形態において、日送り爪が曜星車の下に位置する状態を示す拡大部分平面図である。
【図１０】本発明のカレンダ機構付き時計の実施の形態において、図９の状態を示す拡大部分断面図である。
【図１１】本発明のカレンダ機構付き時計の実施の形態において、曜送り爪が地板台の上に乗っている状態を示す拡大部分平面図である。
【図１２】本発明のカレンダ機構付き時計の実施の形態において、図１１の状態を示す拡大部分断面図である。
【図１３】本発明のカレンダ機構付き時計の実施の形態において、日回し車、曜星車の下に位置する地板の部分を示す拡大部分平面図である。
【図１４】本発明のカレンダ機構付き時計の実施の形態において、図１３の線Ａ−Ａにおける拡大部分平面図である。
【図１５】本発明のカレンダ機構付き時計の実施の形態において、日送り爪が、送り終わった日車の歯先の近くに位置する状態を示す拡大部分平面図である。
【図１６】本発明のカレンダ機構付き時計の実施の形態において、図１５の状態を示す拡大部分断面図である。
【図１７】本発明のカレンダ機構付き時計の実施の形態において、曜送り爪が地板台に乗らない場合を示す部分断面図である。
【図１８】本発明のカレンダ機構付き時計の実施の形態において、曜送り爪が地板台に乗らない場合を示す部分断面図である。
【図１９】従来のカレンダ機構付き時計において、日車、日回し車、曜星車を示す拡大部分平面図である。
【図２０】従来のカレンダ機構付き時計において、図１９に示す部分の拡大部分断面図である。
【符号の説明】
１００    ムーブメント
１０２    地板
１０２ａ  中心パイプ
１０２ｃ  日送り爪案内部
１０２ｄ  斜面
１０２ｊ  外側案内部
１０２ｋ  内側案内部
１０２ｍ  日送り爪案内溝部
１０２ｎ  日送り後隙間確保部
１０２ｐ  日送り前隙間確保部
１０４    文字板
１１０    巻真
１１２    輪列受
１１６    回路ブロック
１１８    ＩＣ
１２０    電池
１２２    水晶振動子
１２６    電池マイナス端子
１２８    絶縁板
１３０    コイルブロック
１３２    ステータ
１３４    ロータ
１４０    五番車
１４２    四番車
１４４    秒針
１５０    三番車
１５２    二番車
１６０    筒車
１６４    分針
１６６    時針
１７０    規正レバー
１７２    小鉄車
１７４    日の裏車
２１２    日回し車
２１４    日送り爪
２１４ｂ  日送り爪ばね部
２１４ｃ  凸部
２１６    曜送り爪
２１６ａ  第１曜送り部分
２１６ｂ  第２曜送り部分
２１６ｃ  第１曜送り爪凸部
２１６ｄ  第２曜送り爪凸部
２２０    日車
２２２    日車歯部
２２２ａ  送り待ち歯部
２２２ｂ  送り作動歯部
２２２ｃ  送り終り歯部
２２４    日板
２２８    日車押え
２３０    曜車
２３２    曜星車
２３４    曜板
２４０    日ジャンパ
２４２    曜ジャンパ
２８０    第１カレンダ修正車
２８２    第２カレンダ修正車
２８４    カレンダ修正車
２８６    曜修正伝え車
【図１】
0003939073.tif 000002
【図２】
0003939073.tif 000003
【図３】
0003939073.tif 000004
【図４】
0003939073.tif 000005
【図５】
0003939073.tif 000006
【図６】
0003939073.tif 000007
【図７】
0003939073.tif 000008
【図８】
0003939073.tif 000009
【図９】
0003939073.tif 000010
【図１０】
0003939073.tif 000011
【図１１】
0003939073.tif 000012
【図１２】
0003939073.tif 000013
【図１３】
0003939073.tif 000014
【図１４】
0003939073.tif 000015
【図１５】
0003939073.tif 000016
【図１６】
0003939073.tif 000017
【図１７】
0003939073.tif 000018
【図１８】
0003939073.tif 000019
【図１９】
0003939073.tif 000020
【図２０】
0003939073.tif 000021